(57)【要約】【課題】外観上は和洋紙その他の紙の風合いを保ちつつ鮮明な印刷が見え、例えば軟質包装材料や本類の表紙等の印刷物の表面加工として好適に利用することができる装飾材料、及びその製造方法を提供する。【解決手段】本発明の装飾材料Ａ１は、透明和紙１と接着層２と透明フィルム３をその順で積層した透明紙複合材Ｂを、印刷基材５の印刷面６にラミネートしてなる。【選択図】図１
2008030208.tif 000002
【特許請求の範囲】
【請求項１】
和洋紙その他の紙と接着層とフィルム又は印刷を施したフィルムをその順で積層した透明紙複合材を、印刷基材の印刷面にラミネートしてなることを特徴とする装飾材料。
【請求項２】
フィルム又は印刷を施したフィルムと接着層と和洋紙その他の紙をその順で積層した透明紙複合材を、印刷基材の印刷面にラミネートしてなることを特徴とする装飾材料。
【請求項３】
和洋紙その他の紙と接着層とフィルム又は印刷を施したフィルムをその順で積層した透明紙複合材のフィルム側に、印刷を施し、接着剤層を介して透明基材と積層してなることを特徴とする装飾材料。
【請求項４】
フィルム又は印刷を施したフィルムと接着層と和洋紙その他の紙をその順で積層した透明紙複合材を、接着剤層を介してフィルム又は印刷を施したフィルムと、さらに透明基材と積層してなることを特徴とする装飾材料。
【請求項５】
予め和洋紙その他の紙と接着層とフィルム又は印刷を施したフィルムを積層した透明紙複合材、基材の表面に印刷を施した印刷基材を作製し、印刷基材の印刷面にラミネートすることを特徴とする装飾材料の製造方法。
【発明の詳細な説明】
【技術分野】
【０００１】
本発明は、外観上は和洋紙その他の紙の風合いを保ちつつ鮮明な印刷が見え、例えば軟質包装材料や本類の表紙等の印刷物の表面加工として好適に利用することができる装飾材料、及びその製造方法に関する。
【背景技術】
【０００２】
従来より、和紙が有する風合いを装飾材料に導入する手法として、樹脂等から成る芯材やフィルムの表面に和紙を積層させて複合材料とする方法が採られていた（特許文献１参照）。
この複合材料は、和紙を表面側にすることにより、手触り感が柔らかな和紙調となり、芯材やフィルムが強度面を補うことができる。
【０００３】
また、前記複合材料は、和紙を裏面側にすることにより、芯材やフィルムに各種の鮮明な印刷を印刷して利用することもでき、この場合の裏面側の和紙は、フィルムを通して視覚的に見えるものとなる。尚、和紙は表面の平滑性が低いため、パッド印刷等の特殊な印刷方でなければ直接的には印刷はできないし、美麗な印刷を得られない。
【０００４】
一方、印刷技術の向上により、視覚的に不織布状に見える印刷を行うことにより、あたかも和紙とフィルムを積層した材料であるかのように見える装飾シートも知られている。
【０００５】
【特許文献１】特開２００２−２１４４０号公報
【発明の開示】
【発明が解決しようとする課題】
【０００６】
しかしながら、前記複合材料は、和紙を表面側にして用いる場合には、単なる和紙単体と比べた場合には強度面などの優れた特性を有するが、印刷をする場合には和紙上に印刷を施す必要があるため、鮮明な印刷を行うことができなかった。また、前記複合材料を、和紙を裏面側にして用いる場合や、前記装飾シートでは、印刷面が最表面になるため、印刷面を保護する目的では、別途保護シートをラミネートする必要があった。
【０００７】
そこで、本発明は、外観上は和洋紙その他の紙の風合いを保ちつつ鮮明な印刷を行うことができ、さらに別途保護シートをラミネートする必要がなく、各種の用途に用いることができる装飾材料を提供することを目的とするものである。
【課題を解決するための手段】
【０００８】
本発明は、上記に鑑み提案されたもので、第１の発明として、和洋紙その他の紙と接着層とフィルム又は印刷を施したフィルムをその順で積層した透明紙複合材を、印刷基材の印刷面にラミネートしてなることを特徴とする装飾材料（以下、装飾材料Ｉという）に関するものである。
【０００９】
また、本発明は、第２の発明として、フィルム又は印刷を施したフィルムと接着層と和洋紙その他の紙をその順で積層した透明紙複合材を、印刷基材の印刷面にラミネートしてなることを特徴とする装飾材料（以下、装飾材料IIという）をも提案する。
【００１０】
さらに、本発明は、第３の発明として、和洋紙その他の紙と接着層とフィルム又は印刷を施したフィルムをその順で積層した透明紙複合材のフィルム側に、部分的に印刷を施し、接着剤層を介して透明基材と積層してなることを特徴とする装飾材料（以下、装飾材料というIII）をも提案する。
【００１１】
また、本発明は、第４の発明として、フィルム又は印刷を施したフィルムと接着層と和洋紙その他の紙をその順で積層した透明紙複合材を、接着剤層を介して印刷を施した透明フィルムと、さらに透明基材と積層してなることを特徴とする装飾材料（以下、装飾材料というIV）をも提案する。
【００１２】
さらに、本発明は、第５の発明として、予め和洋紙その他の紙と接着層とフィルム又は印刷を施したフィルムを積層した透明紙複合材、基材の表面に印刷を施した印刷基材を作製し、印刷基材の印刷面にラミネートすることを特徴とする装飾材料の製造方法をも提案する。
【発明の効果】
【００１３】
本発明の装飾材料Ｉは、紙が最表面に位置するので、手触り感がよく、またその紙を含む透明紙複合材を通して印刷基材の印刷を見ることができるものであり、紙やフィルム、成形ボード等の各種の印刷基材を選択できるため、例えば軟質包装材料や本類の表紙等の印刷物の表面加工として好適に利用することができる。
【００１４】
本発明の装飾材料IIは、フィルムが最表面に位置してその裏面側に紙が位置するので、紙の汚れが防止され、それらを含む透明紙複合材を通して印刷基材の印刷を見ることができるものであり、紙やフィルム、成形ボード等の各種の印刷基材を選択できるため、例えば軟質包装材料や本類の表紙等の印刷物の表面加工として好適に利用することができる。
【００１５】
本発明の装飾材料IIIは、紙が最表面に位置するので、手触り感がよく、またその紙を含む透明紙複合材の裏面側に裏印刷を行うものであって、最裏面には透明基材が位置するので、紙やフィルム、成形ボード等の各種の透明基材を選択できる。特に軟質包装材料として用いた場合に、この装飾材料IIIを通して内部を見ることができ、商品価値が高いものとなる。
【００１６】
本発明の装飾材料IVは、フィルムが最表面に位置してその裏面側に紙が位置するので、紙の汚れが防止され、それらを含む透明紙複合材を通して透明フィルムの印刷を見ることができるものであり、特に軟質包装材料として用いた場合に、この装飾材料IVを通して内部を見ることができ、商品価値が高いものとなる。
【００１７】
本発明の装飾材料の製造方法は、前記装飾材料Ｉ，IIを作製する方法であって、透明紙複合材を量産しておけば、多種の製品態様に対して極めて容易に対応できる。
【発明を実施するための最良の形態】
【００１８】
本発明に用いられる透明紙複合材は、和洋紙その他の紙と接着層とフィルム又は印刷を施したフィルムを積層してなるものである。
上記の透明紙複合材における和洋紙その他の紙としては、透明性を損なわない紙であれば、特にその種類、厚み（坪量）等を限定するものではなく、例えば９〜１５ｇ／ｍ2の雲竜紙、透明度８０％のグラシン紙などを用いることができる。尚、本発明における透明性とは、その裏面側の印刷が判別できる程度であればよい。
上記の透明紙複合材におけるフィルム又は印刷を施したフィルムとしては、透明性を損なわないフィルムであれば、特にその種類、厚み等を限定するものではなく、例えばポリプロピレン、ポリエステル等を用いることができる。
上記の透明紙複合材における接着層としては、透明性を損なわない接着剤であれば、特にその種類、塗布量等を限定するものではなく、例えばラミネート用接着剤等を用いることができる。
【００１９】
本発明の装飾材料Ｉ，IIIは、前記透明紙複合材を、紙を表面側にして用いる態様であり、視覚的に紙の風合いを得られることは勿論、手触り感がよいものとなる。
これに対し、本発明の装飾材料II，IVは、前記透明紙複合材を、紙を裏面側にして用いる態様であり、紙の汚れが防止される。
【００２０】
本発明の装飾材料Ｉ，IIでは、前記透明紙複合材を通して印刷基材の印刷を見る態様であって、それをラミネートする印刷基材として、紙やフィルム、成形ボード等の各種の印刷基材を選択でき、印刷面に関しても特に限定するものではなく、どのような印刷でも適用できる。
そのため、軟質包装材料や本類の表紙等は勿論、照明ルーバー等のパネルプレートなどの各種の成形ボードにも適用でき、極めて広い商品展開を見込むことが可能である。
【００２１】
本発明の装飾材料IIIは、前記透明紙複合材の裏面側（フィルム）に裏印刷を行う態様であって、それをラミネートする透明基材として、紙やフィルム、成形ボード等の各種の透明基材を選択できる。
そのため、軟質包装材料や本類の表紙等は勿論、照明ルーバー等のパネルプレートなどの各種の成形ボードにも適用でき、極めて広い商品展開を見込むことが可能である。特に軟質包装材料として用いた場合には、この装飾材料IIIを通して内部を見ることができ、商品価値が高いものとなる。
【００２２】
本発明の装飾材料IVは、前記透明紙複合材を、透明印刷フィルム、透明基材と積層して用いる態様であって、特に軟質包装材料として用いた場合に、この装飾材料IVを通して内部を見ることができ、商品価値が高いものとなる。
【実施例】
【００２３】
［実施例１］
和洋紙その他の紙１として雲竜紙（坪量９ｇ／ｍ2）を用い、フィルム又は印刷を施したフィルム３としてＯＰＰフィルム（厚み１５μｍ）を用い、それらを接着層２で接合して透明紙複合材Ｂを作製した。
印刷基材５としてコート紙（坪量１３５ｇ／ｍ2）に印刷６を施したものを用いた。
前記透明紙複合材Ｂを、前記コート紙５の印刷面６に接着剤４を介してラミネートし、装飾材料Ａ１（Ｉ）を得た。
得られた装飾材料Ａ１（Ｉ）は、雲竜紙１が最表面に位置するので、手触り感がよく、またその雲竜紙１を通してコート紙５の印刷６を見ることができ、軟質包装材料や本類の表紙等の印刷物の表面加工として好適に利用することができた。
【００２４】
［実施例２］
フィルム又は印刷を施したフィルム３としてマット加工したＯＰＰフィルム（厚み２０μｍ）を用い、和洋紙その他の紙１として雲竜紙（坪量９ｇ／ｍ2）を用い、それらを接着層２で接合して透明紙複合材Ｂを作製した。
印刷基材５としてコート紙（坪量１３５ｇ／ｍ2）に印刷６を施したものを用いた。
前記透明紙複合材Ｂを、前記コート紙５の印刷面６に接着剤４を介してラミネートし、装飾材料Ａ２（II）を得た。
得られた装飾材料Ａ２（II）は、マット加工したＯＰＰフィルム３が最表面に位置してその裏面側に雲竜紙１が位置するので、雲竜紙１の汚れが防止され、それらを通してコート紙５の印刷６を見ることができ、軟質包装材料や本類の表紙等の印刷物の表面加工として好適に利用することができた。
【００２５】
［実施例３］
和洋紙その他の紙として１雲竜紙（坪量９ｇ／ｍ2）を用い、フィルム又は印刷を施したフィルム３としてＯＰＰフィルム（厚み２０μｍ）を用い、それらを接着層２で接合して透明紙複合材Ｂを作製した。
続いて、前記透明紙複合材Ｂのフィルム面３に裏印刷６を施した。
前記透明紙複合材Ｂの印刷面に、ＯＰＰフィルム（厚み３０μｍ）７を接着剤４を介してラミネートし、装飾材料Ａ３（III）を得た。
得られた装飾材料Ａ３（III）は、雲竜紙１が最表面に位置するので、手触り感がよく、それ自体が透明であるため、特に軟質包装材料として用いた場合に、内部を見ることができ、商品価値が高いものとなった。
【００２６】
［実施例４］
フィルム又は印刷を施したフィルム３としてマット加工したＯＰＰフィルム（厚み２０μｍ）を用い、和洋紙その他の紙１として雲竜紙（坪量９ｇ／ｍ2）を用い、それらを接着層２で接合して透明紙複合材Ｂを作製した。
ＯＰＰフィルム（厚み２０μｍ）８の裏面に裏印刷６を施したものを作製した。
前記透明紙複合材Ｂに、前記フィルム８を接着剤４を介してラミネートし、さらにＯＰＰフィルム（厚み３０μｍ）７を接着剤４を介してラミネートして装飾材料Ａ４（IV）を得た。
得られた装飾材料Ａ４（IV）は、雲竜紙１の汚れが防止され、それ自体が透明であるため、特に軟質包装材料として用いた場合に、内部を見ることができ、商品価値が高いものとなった。
【図面の簡単な説明】
【００２７】
【図１】本発明の装飾材料Ｉの一実施例を模式的に示す断面図である。
【図２】本発明の装飾材料IIの一実施例を模式的に示す断面図である。
【図３】本発明の装飾材料IIIの一実施例を模式的に示す断面図である。
【図４】本発明の装飾材料IVの一実施例を模式的に示す断面図である。
【符号の説明】
【００２８】
Ａ１  装飾材料Ｉ
Ａ２  装飾材料II
Ａ３  装飾材料III
Ａ４  装飾材料IV
Ｂ  透明和紙複合材
１  （透明）和紙
２  接着層
３  （透明）フィルム
４  接着剤層
５  印刷基材
６  インキ層（印刷面）
７  透明基材
８  透明フィルム
【図１】
2008030208.tif 000003
【図２】
2008030208.tif 000004
【図３】
2008030208.tif 000005
【図４】
2008030208.tif 000006